(57)【要約】【課題】稚貝結束後、ロープ１４を送り出すときに稚貝にとって障害物がなく、稚貝をほぼ結束したときの姿勢のまま送り出すことができ、もって稚貝に与えるストレスを小さくすることができる耳吊り装置を提供することを目的とする。【解決手段】養殖貝類の稚貝を位置決めする位置決め部６と、稚貝の耳部に貫通孔を形成するドリル部と、貫通孔およびロープ１４に係止具を刺し通す係止具供給部と、ロープ１４を耳吊り装置の後方側へ送り出すロープ送り出し部とを有する養殖貝類の耳吊り装置において、位置決め部６をドリル部における穿孔ポイントｐよりも耳吊り装置の手前側に配置することにより、ロープ１４に結束した稚貝をロープ１４とともに耳吊り装置の後方側に送り出すときに位置決め部６が送り出しの障害とならないようにした。【選択図】  図２
2004329007.tif 000002
【特許請求の範囲】
【請求項１】
養殖貝類の稚貝（１５）を位置決めする位置決め部（６）と、前記稚貝（１５）の耳部（１５ａ）に貫通孔（１５ｆ）を形成するドリル部（８）と、前記貫通孔（１５ｆ）およびロープ（１４）に係止具（４１）を刺し通す係止具供給部（９）と、前記ロープ（１４）を耳吊り装置（１）の後方側へ送り出すロープ送り出し部（１０）とを有する養殖貝類の耳吊り装置（１）において、前記位置決め部（６）を前記ドリル部（８）による前記稚貝（１５）への穿孔ポイント（ｐ）よりも耳吊り装置（１）の手前側に配置したことを特徴とする養殖貝類の耳吊り装置。
【請求項２】
請求項１の耳吊り装置において、
穿孔ポイント（ｐ）へ向けて水平押圧動作して稚貝（１５）を位置決め部（６）に押し付ける水平押圧部材（１６）（１７）を有することを特徴とする養殖貝類の耳吊り装置。
【請求項３】
請求項１の耳吊り装置において、
ドリル（８１）等の穿孔具とともに移動して稚貝（１５）の耳部（１５ａ）または耳部（１５）とその近傍を垂直方向に押さえ込む垂直押圧部材（７１）を有し、かつ穿孔ポイント（ｐ）へ向けて水平押圧動作して前記稚貝（１５）を位置決め部（６）に押し付ける水平押圧部材（１６）（１７）を有することを特徴とする養殖貝類の耳吊り装置。
【請求項４】
請求項１ないし３の何れかに記載した耳吊り装置において、
位置決め部（６）は、当該位置決め部（６）に稚貝（１５）の耳部（１５ａ）の側辺部（１５ｂ）とこれに連なる稚貝本体部（１５ｃ）の側辺部（１５ｄ）とを押し付けることにより稚貝（１５）を位置決めすることを特徴とする養殖貝類の耳吊り装置。
【請求項５】
請求項２または３の耳吊り装置において、
水平押圧部材（１６）（１７）は、その押圧面に稚貝（１５）の周縁部（１５ｅ）を係合する溝状凹部（１９）が形成されていることを特徴とする養殖貝類の耳吊り装置。
【請求項６】
請求項１ないし５の何れかに記載した耳吊り装置において、
ロープ送り出し部（１０）は、ロープ（１４）を送る回転ドラム（２４）と、前記回転ドラム（２４）の周面に設けられたロープチャック部（２５）とを有し、前記ロープチャック部（２５）は、ロープ（１４）を両側から釈放自在に掴持する一対のチャック部材（２６）をドラム（２４）の円周上複数組有することを特徴とする養殖貝類の耳吊り装置。
【発明の詳細な説明】
【０００１】
【発明の属する技術分野】
本発明は、養殖産業の一環として、帆立貝等の養殖貝類の稚貝をロープに耳吊り（結束）するための養殖貝類の耳吊り装置に関するものである。稚貝を耳吊りしたロープは海中に垂らされ、この状態で稚貝を生育させ、回収する。
【０００２】
【従来の技術】
従来公知の養殖貝類の耳吊り装置においては、貝座部上で養殖貝類の稚貝を位置決めする位置決め部が、位置決め後稚貝の耳部に貫通孔を形成するドリル部における穿孔ポイントよりも作業者の側から見て耳吊り装置の後方側（奥側）に配置されており、よって稚貝の挿入には、稚貝を押し込むまたはコンベア類で送り出す方式が採用されている。このため、穿孔結束済みの稚貝を貝座部から耳吊り装置の後方側へ送り出すには、位置決め部を乗り越えさせるかまたは位置決め部を可動式にして障害を取り除くかしなければならず、位置決め部を乗り越えさせるにはスロープ等の勾配が必要となり、稚貝の送り出しに少なからず衝撃が発生して稚貝に大きなストレスが発生する。また、可動式の位置決め部では、穿孔位置の微妙な調節が必要であるとともに、異物の噛み込みによる作動のばらつきが発生する虞がある。図２８に示すように、本願出願人が先に提案した耳吊り装置１においても同様に、養殖貝類の稚貝１５を位置決めする位置決め部６はその位置決めポイント６ａが、稚貝１５の耳部１５ａに貫通孔を形成するドリル部における穿孔ポイントｐよりも作業者の側から見て耳吊り装置１の後方側（図上上側）に配置されている（特許文献１〜３参照）。尚、この図２８において、位置決め部６の位置決めポイント６ａは具体的には、符号６ｂおよび６ｃで示す二つの壁により形成された平面略く字形の凹部によって形成されており、この凹部状の位置決めポイント６ａに対して稚貝１５の耳部１５ａの角部を係合させることによって稚貝１５を位置決めする構成とされている。したがって、穿孔結束済みの稚貝１５を貝座部３から耳吊り装置１の後方側へ送り出すには、稚貝１５を一旦アーム５１で上方へ持ち上げてから一方の壁６ｂを乗り越えさせなければならない。
【０００３】
また、この耳吊り装置１は全体としては、図２９に示すように、キャスタ２１を備えた台座部２の上に、耳吊り作業をこの上で行なう貝座部３を備えており、この貝座部３の左右にそれぞれ、多数の稚貝１５を載せるテーブル状の稚貝積載部４が設けられ、貝座部３の後方側と手前側とに、作業時にロープ１４に張りをもたせるロープテンション部５が設けられ、貝座部３上に、稚貝１５を水平方向に位置決めする位置決め部６が設けられ、貝座部３の上方に、作業時に稚貝１５を押さえ込んで稚貝１５の位置ずれを防止する押さえ込み部７と、稚貝１５の耳部１５ａに貫通孔を形成するドリルまたはキリ等の穿孔具を備えたドリル部８とが設けられ、貝座部３の下方すなわち台座部２の内部に、貫通孔およびロープ１４に係止具を刺し通す係止具供給部９が設けられ、貝座部３の後方側に、作業のサイクル毎にロープ１４を送り出すロープ送り出し部１０と、これら各部を作動させる操作ボックス１１とが設けられている。作業者は、耳吊り装置１の手前側に図示しない椅子を持って来て座り、作業のサイクル毎に手作業で左右の稚貝積載部４から稚貝１５を一つずつ貝座部３の上に載せ、始動用スイッチ１２等を操作する。
【０００４】
また、従来公知の養殖貝類の耳吊り装置においては、位置決め部に対して稚貝を直接手で押し当てる方式が採用されている。位置決め部はロープの上下に位置し、ロープの下側の位置決め部はロープによって視界を遮られるため、押し込むときの感覚で適否を判断せざるを得ない。このため、作業に熟練を要し、作業の効率が作業者の練度によって大きく左右される。
【０００５】
また、従来公知の養殖貝類の耳吊り装置においては、穿孔時における稚貝の不規則な揺動による穿孔位置のばらつきや結束ミスを防止するために、弾性体やブラシ等を用いて稚貝の揺動を押さえている。押さえる方式や位置は機種によって異なり、例えば稚貝の最も膨らみを持った部分を押さえる方式や、耳部のみを押さえる方式等があるが、最も膨らんだ部分を押さえる方式では、稚貝の膨らみの程度によって押さえ込み力に差が生じ、確実性に欠ける面がある。また、耳部のみを押さえる方式では、耳部を確実に押さえ込むまで作業者が手で稚貝を保持していなければならないため、次の作業動作に取りかかるまでに長時間を要する。
【０００６】
【特許文献１】
特許第３３８３７２１号公報
【特許文献２】
特許第３３８３７２２号公報
【特許文献３】
特許第３３８３７２３号公報
【０００７】
【発明が解決しようとする課題】
本発明は以上の点に鑑みて、稚貝結束後、ロープを送り出すときに稚貝にとって障害物がなく、稚貝をほぼ結束したときの姿勢のまま送り出すことができ、もって稚貝に与えるストレスを小さくすることができる耳吊り装置を提供することを目的とする。
【０００８】
またこれに加えて、稚貝を位置決め部に手で直接押し当てて位置決め調整する必要がなく、もって作業に熟練を要することがない耳吊り装置を提供することを目的とする。
【０００９】
また、結束に際して稚貝を押さえ込むときに稚貝の膨らみのばらつきや付着物による影響を受けることがなく稚貝を安定的に押さえ込むことができ、もってその後の穿孔作業や係止具刺通し作業を円滑に行なうことができる耳吊り装置を提供することを目的とし、また、押さえ込みの完了まで作業者が手で稚貝を押さえている必要がなく、もって稚貝の投入後、速やかに次の作業動作に入ることができる耳吊り装置を提供することを目的とする。
【００１０】
更にまた、稚貝を結束したロープを順次送り出すに際してロープを確実に掴持することができ、もってロープの送り出し作業を円滑に行なうことができる耳吊り装置を提供することを目的とする。
【００１１】
【課題を解決するための手段】
上記目的を達成するため、本発明の請求項１による耳吊り装置は、養殖貝類の稚貝を位置決めする位置決め部と、前記稚貝の耳部に貫通孔を形成するドリル部と、前記貫通孔およびロープに係止具を刺し通す係止具供給部と、前記ロープを耳吊り装置の後方側へ送り出すロープ送り出し部とを有する養殖貝類の耳吊り装置において、前記位置決め部を前記ドリル部による前記稚貝への穿孔ポイントよりも耳吊り装置の手前側に配置したことを特徴とする。位置決め部はその位置決めポイントをドリル部における穿孔ポイントよりも耳吊り装置の手前側に配置することになる。尚、穿孔ポイントは、当該耳吊り装置において稚貝に貫通孔を形成する穿孔作業を行なう際にドリル等の穿孔具が移動して来て稚貝に貫通孔を形成する作業位置のことをいう。また、位置決めポイントは、当該耳吊り装置において穿孔作業に先立って稚貝を位置決めする位置決め作業を行なう際に位置決めの基準となる位置のことをいい、この位置決めポイントに稚貝を正確に押し付けると稚貝の耳部が穿孔ポイントに丁度位置することになる。そして、上記構成を備えた本発明の請求項１による耳吊り装置によれば、稚貝を位置決めする位置決め部がドリル部における穿孔ポイントよりも耳吊り装置の手前側に配置されているために、ロープに結束した稚貝をロープとともに耳吊り装置の後方側に送り出すときに位置決め部が送り出しの障害とならず、よって稚貝をほぼ結束したときの姿勢のまま円滑に送り出すことが可能となる。このため、稚貝が障害物を乗り越えるときに発生するバウンド等の衝撃が稚貝に作用しないために、稚貝送り出し時に稚貝に与えるストレスを小さくすることができる。また、ドリル部における穿孔ポイントよりも耳吊り装置の手前側に配置された位置決め部は、稚貝の送り出しの障害とならず移動させる必要がないために、固定式とすることが可能となる。このため、可動式の位置決め部のように穿孔位置の微妙な調節が必要となったり異物の噛み込みによる作動のばらつきが発生したりすることがない。
【００１２】
また、本発明の請求項２による耳吊り装置は、上記した請求項１の耳吊り装置において、穿孔ポイントへ向けて水平押圧動作して稚貝を位置決め部に押し付ける水平押圧部材を有することを特徴とするものである。この構成によれば、穿孔ポイントへ向けて水平方向に押圧動作して稚貝を位置決め部に押し付ける水平押圧部材が設けられているために、この水平押圧部材が穿孔ポイントへ向けて水平押圧動作して稚貝を位置決め部に押し付けることにより位置決め作業が行なわれる。このため、位置決めが自動調整され、作業者がいちいち稚貝を位置決め部に直接押し当てる必要がなくなるために、これまで位置決め作業に必要とされてきた作業の熟練を不要とすることができる。また、ロープの下側で位置決めされる稚貝についても作業者は稚貝を概略の位置に置けば、水平押圧部材が穿孔ポイントへ向けて水平押圧動作して稚貝を位置決め部に押し付けることにより位置決め作業が行なわれる。このため、ロープによって視界を遮られても不安感を覚えることがなく、また作業者は穿孔具（ドリル、キリ等）から離れた位置で作業を行なえば良いために、作業の安全性を向上させることができる。
【００１３】
また、本発明の請求項３による耳吊り装置は、上記した請求項１の耳吊り装置において、ドリル等の穿孔具とともに移動して稚貝の耳部または耳部とその近傍を垂直方向に押さえ込む垂直押圧部材を有し、かつ穿孔ポイントへ向けて水平押圧動作して前記稚貝を位置決め部に押し付ける水平押圧部材を有することを特徴とするものである。この構成によれば、穿孔具とともに移動して稚貝の耳部または稚貝の耳部とその近傍を垂直方向に押さえ込む垂直押圧部材が設けられているために、その押さえ込み部位が稚貝の耳部または稚貝の耳部とその近傍に特定される。このため、稚貝を押さえ込むときに稚貝の膨らみのばらつきや付着物による影響を受けることがなく、稚貝を安定的に押さえ込むことが可能となる。このため、穿孔時や結束具刺し通し時における稚貝の姿勢を安定化させることができ、よってこれらの作業性を向上させることができる。また、この請求項３では加えて請求項２と同様に、穿孔ポイントへ向けて水平押圧動作して稚貝を位置決め部に押し付ける水平押圧部材が設けられているために、この水平押圧部材がこれまでの手作業に代わって稚貝を押さえ込みの完了まで保持する。このため、作業者は稚貝から早めに手を離すことが可能となり、よって稚貝の投入後速やかに次の作業動作に入ることができる。また、垂直押圧部材による押さえ込み後、稚貝はこの垂直押圧部材と水平押圧部材によって２方向から同時に立体的に保持される。このため、稚貝を更に安定的に保持することができる。
【００１４】
また、本発明の請求項４による耳吊り装置は、上記した請求項１ないし３の何れかに記載した耳吊り装置において、位置決め部は、当該位置決め部に稚貝の耳部の側辺部とこれに連なる稚貝本体部の側辺部とを押し付けることにより稚貝を位置決めすることを特徴とするものである。この構成によれば、位置決め部が当該位置決め部に稚貝の耳部の側辺部とこれに連なる稚貝本体部の側辺部とを押し付けることにより稚貝を位置決めするよう構成されているために、稚貝が耳部よりも厚肉で接地した状態の稚貝本体部の近くで位置決めされる。このため、稚貝のガタツキを有効に抑え、稚貝を正確に位置決めすることが可能となるために、その後の穿孔作業や係止具刺し通し作業を円滑化することができる。
【００１５】
また、本発明の請求項５による耳吊り装置は、上記した請求項２または３の耳吊り装置において、水平押圧部材は、その押圧面に稚貝の周縁部を係合する溝状凹部が形成されていることを特徴とするものである。この構成によれば、水平押圧部材の押圧面に稚貝の周縁部を係合する溝状凹部が形成されているために、この溝状凹部に稚貝の周縁部を係合させることにより、位置決め、穿孔および係止具刺し通しの各作業時に稚貝がガタつくのを有効に抑えることができる。
【００１６】
更にまた、本発明の請求項６による耳吊り装置は、上記した請求項１ないし５の何れかに記載した耳吊り装置において、ロープ送り出し部は、ロープを送る回転ドラムと、前記回転ドラムの周面に設けられたロープチャック部とを有し、前記ロープチャック部は、ロープを両側から釈放自在に掴持する一対のチャック部材をドラムの円周上複数組有することを特徴とするものである。この構成によれば、ロープ送り出し部に回転ドラムとロープチャック部が設けられ、ロープチャック部にロープを両側から釈放自在に掴持する一対のチャック部材がドラムの円周上複数組設けられているために、稚貝結束後、ロープを送り出すたびにロープがチャック部材により掴持され、この状態で耳吊り装置の後方側へ引っ張られていく。このため、ロープの送り出し作業を円滑化することができる。
【００１７】
尚、本件出願には、以下の技術的事項が含まれる。
【００１８】
すなわち、上記目的を達成するため、本願実施形態に係る耳吊り装置は以下の内容を備えている。
【００１９】
（１）養殖帆立貝の自動耳吊り機における貝の挿入方向と保持方法について
【００２０】
（１−１）穿孔ポイントを決定する案内具が手前側にある養殖帆立貝の自動耳吊り機。この構成により、穿孔ポイントの案内具を穿孔ポイントよりも手前の作業者側に置くことによって、ロープの送り出し時に障害物がなく、ほぼ結束されたままの姿勢で円滑にロープを送り出すことができる。このため、障害物を乗り越える際に発生するバウンド等の衝撃がなく、稚貝に与えるストレスが小さい。また、完全に固定式が可能なため、可動式のような作動のばらつきが発生しない。
【００２１】
（１−２）穿孔ポイントに向けて自動調心的な水平押圧部材（ブレード）を持った養殖帆立貝の自動耳吊り機。この構成により、穿孔ポイントに向けて自動調心的に動作する水平押圧部材（金属、非金属を問わず）を設けることによって、穿孔ポイントの案内具に直接押し当てる必要がなく、作業の熟練度が解消される。ロープの下側にあたる稚貝にしても、概略の位置に置けば同様に穿孔ポイントに向けて自動調心的に動作する水平押圧部材によって穿孔ポイントに押し込まれていくため、視界を遮られることによる不安感の解消と、穿孔具（ドリル、キリ等）から離れた位置で作業ができるため、作業の安心感が得られる。
【００２２】
（１−３）穿孔ポイント近傍をクランプすると同時に、穿孔ポイントに向けて自動調心的な水平押圧部材を併せ持った構造を特徴とする養殖帆立貝の自動耳吊り機。この構成により、穿孔ポイント近傍をクランプし、かつ穿孔ポイントに向けて自動調心的に動作する水平押圧部材を併せ持つ構造によって、稚貝の不規則な揺動を極小に抑えられる。ドリル部分近傍（耳部）で確実にクランプすることで稚貝の膨らみのばらつきや付着物による影響を受けないため、穿孔性と結束性の向上が得られる。また、穿孔ポイントに向けて自動調心的に動作する水平押圧部材を併せ持つことで、クランプ完了まで稚貝を支える必要がなく、稚貝の投入後速やかに次の作業動作に入れるため、作業の効率性が向上する。
【００２３】
（２）養殖帆立貝の自動耳吊り機におけるロープの送り方法について
【００２４】
（２−１）回転ドラム方式でロープを送る際にロープを保持する機構が、締め付け勝手に作用して滑りのないロープ送り機能を有することを特徴とする養殖帆立貝の自動耳吊り機。回転ドラムにカムクリートと称される一方向には締め付け勝手に働き、逆方向には開き勝手に作用するロープの保持具を取り付け、カムクリートが保持した回転ドラムを回すことによってロープが送られる。カムクリートは回転ドラムの頂点直前位置で開きプレートによって開かれ、開きプレートを越えた頂点部でバネ力により閉められてロープを保持する。また、ロープの開放部で同じく開きプレートによりカムクリートが開かれ、ロープを開放する。保持と開放のタイミングは開きプレートの取付位置によって、保持→開放の順に繰り返される。カムクリートにはロープとの接触面に鋸状の突起と溝が付けられていることと、回転ドラムの回転方向で締まり勝手に作用するため、ロープの滑りが発生しない。耳吊りピッチは回転ドラムのカムクリート取付直径を変化させることでピッチの変更ができ、その手段としては、回転ドラムを二つ割り構造にしてドラムごと交換する方式や、カムクリートの取付座面を伸縮させる等の調整方式が可能である。カムクリートはワンタッチで開閉することができるので、ロープの交換時にもネジの緩めや締め付け等の行為が不要で、工具を必要としない簡便な交換が可能である。
【００２５】
（２−２）回転ドラムを分割回転させることによってロープを送ることを特徴とする養殖帆立貝の自動耳吊り機。
【００２６】
（２−３）回転ドラムの分割回転をカム軸に取り付けた特殊な歯車によって制御することを特徴とする養殖帆立貝の自動耳吊り機。回転ドラムは１作業工程中に２分割、３分割、４分割等の回転角を与えられて回転するが、回転するための動力とタイミングを自動耳吊り機本体のカム軸に取り付けられた特殊な歯車により回転させられる。特殊な歯車は、カム軸の一回転中でロープを送るべき回転各部分にのみ歯付けされ、他の回転角には歯が付けられていない。このため、カム軸の回転角と常に連動しているため、タイミングのズレがなく、また、電気的な連動制御と違い、高価な電気制御装置が不要となる。この特殊な歯車と噛み合う中間歯車から軸あるいは歯付きベルト等の伝導装置を経由して回転ドラムを回転させる。中間歯車あるいは歯付きベルトのプーリー比を変更することで、任意の回転角を得ることができるため、回転ドラムの回転角は任意に設定することが可能となる。
【００２７】
【発明の実施の形態】
つぎに本発明の実施例を図面にしたがって説明する。
【００２８】
当該実施例に係る耳吊り装置１は、台座部２、貝座部３、稚貝積載部（図示せず）、ロープテンション部５、位置決め部６、垂直押圧部（押さえ込み部）７、ドリル部８、係止具供給部９、ロープ送り出し部１０、操作ボックス（図示せず）およびスイッチ（図示せず）等を有しており、上記図２９に示した耳吊り装置１に対して以下の点で改良が加えられている。
【００２９】
すなわち先ず、図１は、当該実施例に係る耳吊り装置１における貝座部３の正面図を示している。また、図２は貝座部３の平面図を示しており、この図２における貝座部３の図上上方が耳吊り装置１の後方側、図上下方が耳吊り装置１の手前側である。
【００３０】
貝座部３は先ず、その左右方向のほぼ中央に、ロープ１４の結束作業箇所をほぼ水平に案内するロープ案内部３１を有しており、このロープ案内部３１の右側に一の稚貝（以下、右側の稚貝または上側の稚貝とも称する）を載せる第一稚貝支持面部３２が設けられており、ロープ案内部３１の左側に、他の一の稚貝（以下、左側の稚貝または下側の稚貝とも称する）を載せる第二稚貝支持面部３３が設けられている。
【００３１】
第一稚貝支持面部３２は平面状に形成されていて、図３に示すように、ここに右側の稚貝１５を載せたときにこの稚貝１５の耳部１５ａが、ロープ案内部３１に案内された状態のロープ１４の上側に位置する高さを備えている。また、第二稚貝支持面部３３はこれも平面状に形成されていて、第一稚貝支持面部３２よりも一段低く、ここに左側の稚貝１５を載せたときにこの稚貝１５の耳部１５ａがロープ案内部３１に案内された状態のロープ１４の下側に位置する高さを備えている。尚、貝座部３は図示したように左右に分割されているので、当該耳吊り装置１は左右一対の二つの貝座部３を有しているということもできる。
【００３２】
図２に示すように、貝座部３の上面に、この貝座部３上で稚貝１５を水平方向に位置決めする位置決め部６が設けられており、この位置決め部６は、第一稚貝支持面部３２上に設けられた右側の稚貝１５を位置決めするための第一稚貝位置決め部（第一案内具とも称する）６１と、第二稚貝支持面部３３上に設けられた左側の稚貝１５を位置決めするための第二稚貝位置決め部（第二案内具とも称する）６２とを有している。
【００３３】
第一稚貝位置決め部６１は、第一稚貝支持面３２上に固定されており、その後方側端部に、図１４に示すように、右側の稚貝１５の耳部１５ａの一方の側辺部１５ｂを当接させる耳当て壁６３と、この耳部１５ａの側辺部１５ｂに連なる稚貝本体部１５ｃの側辺部１５ｄを当接させる貝当て壁６４とが設けられている。したがって後記図１６に示すように、稚貝１５の耳部１５ａの一方の側辺部１５ｂを耳当て壁６３に当接させるとともに稚貝本体部１５ｃの側辺部１５ｄを貝当て壁６４に当接させることにより、稚貝１５を水平方向に位置決めすることができ、すなわち稚貝１５の耳部１５ａをロープ１４の真上の穿孔ポイントｐに位置させることができるようになっている。この第一稚貝位置決め部６１の位置決めポイント６ａは、耳当て壁６３と貝当て壁６４とがなす三角突端状の角部である。
【００３４】
また、第二稚貝位置決め部６２は、第二稚貝支持面３３上に固定されており、その後方側端部に、図１４に示すように、左側の稚貝１５の耳部１５ａの一方の側辺部１５ｂを当接させる耳当て壁６５と、この耳部１５ａの側辺部１５ｂに連なる稚貝本体部１５ｃの側辺部１５ｄを当接させる貝当て壁６６とが設けられている。したがって第一稚貝位置決め部６１と同様、稚貝１５の耳部１５ａの一方の側辺部１５ｂを耳当て壁６５に当接させるとともに稚貝本体部１５ｃの側辺部１５ｄを貝当て壁６６に当接させることにより、稚貝１５を水平方向に位置決めすることができ、すなわち稚貝１５の耳部１５ａをロープ１４の真下の穿孔ポイントｐに位置させることができるようになっている。この第二稚貝位置決め部６２の位置決めポイント６ａは、耳当て壁６５と貝当て壁６６とがなす三角突端状の角部である。
【００３５】
上記第一および第二稚貝位置決め部６１，６２は、図１に示すように互いに高低差は設定されているものの、図２に示すように平面的にはほぼ左右対称形状とされており、また双方ともその位置決めポインド６ａがドリル部における穿孔ポイントｐよりも耳吊り装置１の手前側（図２における下側）に配置されている。また、この第一および第二稚貝位置決め部６１，６２はそれぞれ貝座部３に固定されていて作業中動くことはないが、初期設定においては位置調整が可能とされている。すなわち、固定ボルト（図示せず）を緩めることにより長穴状のボルト穴（図示せず）の範囲内で貝座部３に対する固定位置を調整可能とされている。
【００３６】
貝座部３の上面であって第一稚貝支持面部３２の上面に、穿孔ポイントｐへ向けて揺動動作して右側の稚貝１５を第一稚貝位置決め部６１に押し付ける第一水平押圧部材（第一ブレードとも称する）１６が設けられており、第二稚貝支持面部３３の上面に、同じく穿孔ポイントｐへ向けて揺動動作して左側の稚貝１５を第二稚貝位置決め部６２に押し付ける第二水平押圧部材（第二ブレードとも称する）１７が設けられている。
【００３７】
この第一および第二水平押圧部材１６，１７はそれぞれ、所定の揺動角度をもって正逆両方向に揺動可能とされており、稚貝１５を位置決め部６１，６２に押し付ける正方向の揺動についてはバネ１８により弾性付勢されており、逆方向の揺動についてはバネ１８の弾性に抗して押し開くことが可能とされている。また各水平押圧部材１６，１７の稚貝押圧面には、図１および図１４に示すように、稚貝本体部１５ｃの周縁部１５ｅを係合可能とする断面三角形の溝状凹部１９が形成されている。符号２０は水平押圧部材１６，１７の揺動中心軸、符号２２はバネ端係止用のストッパ、符号２３は揺動角度制限用のストッパである。この第一および第二水平押圧部材１６，１７は、高低差は設定されているものの、平面的にはほぼ左右対称形状とされている。
【００３８】
図３および図１８に示すように、ドリル部８には、稚貝１５に貫通孔１５ｆを形成する穿孔具としてのドリル８１が設けられている。このドリル部８では、図示したように貝座部３上で左右の稚貝１５が位置決めされると、ドリル８１が図示した初動位置から穿孔ポイントｐへ下降して来て、右側の稚貝１５の耳部１５ａ、ロープ１４および左側の稚貝１５の耳部１５ａに貫通孔１５ｆを形成する。
【００３９】
また、このドリル部８には、ドリル８１とともに下降して来て穿孔および係止具刺し通し時に稚貝１５を押さえ込む垂直押圧部（押さえ込み部とも称する）７の垂直押圧部材（押さえ込み部材とも称する）７１が設けられている。この垂直押圧部材７１には、ドリル８１の先端を挿通する孔部７２が設けられており、よってこの垂直押圧部材７１はドリル８１の回転振れを抑える役目を兼ねている。ドリル８１の周りに設けられたこの垂直押圧部材７１は、図示した初動位置から穿孔ポイントｐへ下降して来てドリル８１による穿孔に先立って稚貝１５を上方から押さえ込む。押さえ込みと穿孔にはタイミング差が設定されているため、垂直押圧部材７１とドリル８１は上下方向に相対変位可能とされている。尚、この垂直押圧部材７１による押さえ込みは、図４に示すように稚貝１５の平面上、その耳部１５ａとその近傍部のみを押さえ込む（図では稚貝１５の被押さえ込み部を範囲ａで描いている）。
【００４０】
図５は、貝座部３の後方側に配置されたロープ送り出し部１０の側面図を示しており、図６は図５におけるＡ方向矢視図を示している。このロープ送り出し部１０は、ロープ１４を送り出す回転ドラム２４と、この回転ドラム２４の周面上に設けられたロープチャック部２５とを有しており、ロープチャック部２５にはロープ１４をその両側から釈放自在に掴持する一対のチャック部材（カムクリートとも称する）２６が回転ドラム２４の円周上複数組（図では３組）設けられている。符号２７はチャック部材２６を掴持方向に弾性付勢するバネ、符号２８はチャック部材２６の揺動中心軸、符号２９はバネ端係止用のストッパをそれぞれ示している。
【００４１】
また、符号３４は、回転ドラム２４とともに回転動作するチャック部材２６を所定のタイミングで開閉動作させてロープ１４を掴持させるための一対の第一タイミングブロック（第一開きプレートとも称する）を示しており、また符号３５は、同じく回転ドラム２４とともに回転動作するチャック部材２６を所定のタイミングで開閉動作させてロープ１４を開放させるための一対の第二タイミングブロック（第二開きプレートとも称する）を示している。これらのタイミングブロック３４，３５は、回転ドラム２４の両側に固定式に設けられた支持部材３６のドラム対向面に設けられており、このタイミングブロック３４，３５に対してチャック部材２６が回転中に接触することにより、チャック部材２６が開閉動作する。図５の側面図で云えば、チャック部材２６は、図上Ａ位置で一旦開き、Ｂ位置で閉じてロープ１４を掴持する。また、回転ドラム２４が所定角度θ回転したあとのＣ位置で再び開いてロープ１４を開放し、Ｄ位置で初動姿勢に復帰してＡ位置に戻るのに備える。図６は図５のＡ位置、図７はＢ位置、図８はＣ位置、図９はＤ位置にそれぞれ対応している。
【００４２】
また、回転ドラム２４は、耳吊り作業の進行に伴ってロープ１４に上下（左右）一対の稚貝１５を結束するたびに間欠回転するものであり、この間欠回転は以下の機構とされている。
【００４３】
すなわち、図１０（Ａ）に示すように、互いに噛み合う駆動側ギヤ３７と従動側ギヤ３８とが設けられており、従動側ギヤ３８にはその全周に亙ってギヤ歯３８ａが設けられているが、駆動側ギヤ３７には円周の一部のみにギヤ歯３７ａが設けられている。したがって駆動源に連結された駆動側ギヤ３７は常時定速で回転するが、図１０（Ｂ）および図１１（Ａ）（Ｂ）に示すように、従動側ギヤ３８は互いのギヤ歯３７ａ，３８ａが噛み合ったときのみ回転し、これにより従動側ギヤ３８に連結された回転ドラム２４が間欠回転する。間欠回転のタイミングや回転角度等の設定は、ギヤ３７，３８の仕様を変更することにより適宜調整が可能である。また図１２に示すように、従動側ギヤ３８は圧縮バネ３９により摩擦板４０を押し当てられることにより固定されている。
【００４４】
また、上記チャック部材２６を備えたロープチャック部２５および回転ドラム２４は、穿孔および係止具刺し通しの工程前には、チャック部材２６がロープ１４を掴持した状態でロープ１４を耳吊り装置１の後方側へ引っ張る作用を奏することから、ロープテンション部５の後方側機構を兼ねている。図１３に示すように、対向するロープテンション部５の前方側機構（送り出し側、作業者側）には２個の固定ローラ５１と１個のフリーローラ５２が設けられており、フリーローラ５２がバネ（図示せず）によって固定ローラ５１側に押し付けられ、固定ローラ５１とフリーローラ５２間でロープ１４は逆Ｖ字形に曲げられ、ロープ１４が引かれるときに抵抗が発生するようになっている。このため、回転ドラム２４が回転してロープ１４を引くときにロープ１４の結束作業箇所に適度な張りが設定される。
【００４５】
上記貝座部３、ロープテンション部５、位置決め部６、水平押圧部材１６，１７、垂直押圧部材７１、ドリル部８およびロープ送り出し部１０等を備えた耳吊り装置１によって耳吊り作業を行なうに際しては、ロープ１４および係止具カートリッジ（図示せず）をそれぞれ装填してから、ロープテンション部５によってロープ１４の結束作業箇所に適度の張りをもたせる。
【００４６】
次いで、図１４に示すように、手作業で貝座部（左右の貝座部）３の第一および第二稚貝支持面部３２，３３上にそれぞれ稚貝１５を一つずつ載せ、図１５に示すように稚貝１５をそれぞれスライドさせて水平押圧部材１６，１７を若干押し開く。尚、この手作業による押し開きはこれに代えて、当該耳吊り装置１の駆動系による押し開きとしても良い。この場合には、駆動系のカムからリンクやロッド（何れも図示せず）を経由して駆動力を水平押圧部材１６，１７に伝達し、水平押圧部材１６，１７をバネ１８の弾性に抗して押し開く。カムからの力の伝達はワイヤロープで引く等の他の伝達方式であっても良い。
【００４７】
次いで、稚貝１５を概略位置決めしたところで手を離すと、図１６に示すように水平押圧部材１６，１７がバネ１８の弾性により復帰動して稚貝１５を押圧し、位置決め部６の第一または第二稚貝位置決め部６１，６２に押し付け、稚貝１５の耳部１５ａの側辺部１５ｂが耳当て壁６３，６５に当接するとともに稚貝本体部１５ｃの側辺部１５ｄが貝当て壁６４，６６に当接することにより、稚貝１５が平面上正確に位置決めされる。
【００４８】
次いで、この状態から作業者がスイッチ類を操作して駆動系を駆動させると、図３に示した初動位置にある垂直押圧部材７１がドリル８１とともに下降して来て、図１７に示すように稚貝１５の耳部１５ａを押圧する。このとき稚貝１５は既に稚貝本体部１５ｃの周縁部１５ｅが水平押圧部材１６，１７の溝状凹部１９に係合しているので、稚貝１５は垂直押圧部材７１と水平押圧部材１６，１７とによって２方向から立体的に保持されることになる。次いで、図１８に示すようにドリル８１が更に下降して上側の稚貝１５の耳部１５ａ、ロープ１４および下側の稚貝１５の耳部１５ａに順次貫通孔１５ｆを形成する。次いで、図１９に示すようにドリル８１が垂直押圧部材７１とともに上方へ後退すると、ドリル８１と入れ替わりに、穿孔ポイントｐの下方に配置された係止具供給部１０から係止具４１が供給されて下側の稚貝１５の耳部１５ａの貫通孔１５ｆ、ロープ１４および上側の稚貝１５の耳部１５ａの貫通孔１５ｆに刺し通され、これにより結束工程が完了する。係止具供給部１０は、ピン状の係止具４１を突き出し棒等の突き出し具によって上方へ突き出すことにより貫通孔１５ｆおよびロープ１４に係止具４１を刺し通す。
【００４９】
次いで、ロープ送り出し部１０が作動を開始し、回転ドラム２４が間欠回転してロープ１４を耳吊り装置１の後方側へ１ピッチ分送り出す。回転ドラム２４の周面上に設けられたロープチャック部２５の作動は上記したとおりであり、図６、図７、図８および図９の順に作動してロープ１４を１ピッチ分送り出す。ロープ１４に結束された稚貝１５は、これも同時に耳吊り装置１の後方側へ引っ張られ、図２０に示すように水平押圧部材１６，１７を押し開いて後方側へ引き出される。引き出される途中、稚貝１５は水平押圧部材１６，１７によって相対に押圧され、このとき図２１に示すように上下の稚貝１５が平面上ほぼ重なるように方向転換される。
【００５０】
以上の操作ないし作動により１サイクル分の耳吊り作業が完了し、これがロープ１４の長さ方向に亙って必要回数連続的に繰り返されることになる。
【００５１】
上記構成を備えた耳吊り装置１によれば、以下の作用効果を奏することが可能である。
【００５２】
すなわち先ず、貝座部３上で稚貝１５を位置決めする位置決め部６の第一および第二稚貝位置決め部６１，６２がドリル部８における穿孔ポイントｐよりも耳吊り装置１の手前側に配置されているために、ロープ１４に結束した稚貝１５をロープ１４とともに耳吊り装置１の後方側に送り出すときに、第一および第二稚貝位置決め部６１，６２は送り出しの障害となることがなく、よって稚貝１５をほぼ結束したときの姿勢のまま円滑に送り出すことができる。したがって、稚貝１５が障害物を乗り越えるときに発生するバウンド等の衝撃が稚貝１５に作用することがないために、稚貝送り出し時に稚貝１５に与えるストレスを小さくすることができる。稚貝１５を位置決め部６に押し付けるために穿孔ポイントｐの後方に設けられた水平押圧部材１６，１７はバネ１８により弾性付勢されていてこれを押し開くことが可能とされているために、稚貝送り出しの障害となることはない。
【００５３】
また、ドリル部８における穿孔ポイントｐよりも耳吊り装置１の手前側に配置された位置決め部６の第一および第二稚貝位置決め部６１，６２は、稚貝１５の送り出しの障害とならず、よって移動させる必要がないために、固定式とされている。したがって、可動式の位置決め部のように穿孔位置の微妙な調節が必要となることがなく、また異物の噛み込みによる作動のばらつきが発生するのを抑えることができる。
【００５４】
また、穿孔ポイントｐへ向けて揺動動作して稚貝１５を位置決め部６に押し付ける一対の水平押圧部材１６，１７が設けられているために、この一対の水平押圧部材１６，１７が穿孔ポイントｐへ向けて揺動動作して稚貝１５を位置決め部６に押し付けることにより位置決め作業が行なわれる。したがって、位置決めが自動調整され、作業者がいちいち稚貝１５を位置決め部６に直接押し当てる必要がないために、これまで位置決め作業に必要とされてきた作業の熟練を不要とすることができ、これにより位置決め作業の作業性を向上させることができる。
【００５５】
また、ドリル８１とともに下降して稚貝１５の耳部１５ａとその近傍を押さえ込む垂直押圧部材７１が設けられているために、穿孔および係止具刺し通しに際して稚貝１５を押さえ込むときに稚貝１５の膨らみのばらつきや付着物による影響を受けることがなく、稚貝１５を安定的に押さえ込むことができる。したがって、穿孔および係止具刺し通し時における稚貝１５の姿勢を安定化させることができ、これによりこれらの作業性を向上させることができる。また、稚貝１５の保持は、稚貝１５の耳部１５ａを垂直方向に押圧する垂直押圧部材７１と、稚貝１５をその周縁部１５ｅから耳部１５ａへ向けて水平方向に押圧する水平押圧部材１６，１７とによって上方および側方から立体的に行なわれる。水平押圧部材１６，１７の押圧面には、稚貝１５の周縁部１５ｅを係合する溝状凹部１９が設けられている。したがってこれら点からも、稚貝１５の姿勢を一層安定化させることができる。
【００５６】
また、稚貝１５を位置決めする位置決め部６が、その第一および第二稚貝位置決め部６１，６２に稚貝１５の耳部１５ａの側辺部１５ｂとこれに連なる稚貝本体部１５ｃの側辺部１５ｄとを押し付けることにより稚貝１５を位置決めするように構成されているために、稚貝１５は耳部１５ａよりも厚肉で接地した状態の稚貝本体部１５ｃの近くで位置決めされることになる。したがって、稚貝１５のガタツキを有効に抑え、稚貝１５を正確に位置決めすることができるために、その後の穿孔および係止具刺し通し作業を円滑化することができる。
【００５７】
また、ロープ送り出し部１０に回転ドラム２４とロープチャック部２５とが設けられ、ロープチャック部２５にロープ１４を両側から釈放自在に掴持する一対のチャック部材２６がドラム２４の円周上複数組設けられているために、チャック部材２６の掴持作用によってロープ１４を確実に送り出すことができる。したがって、ロープ１４の送り出し作業を円滑化することができる。
【００５８】
尚、上記実施例では、貝座部３上で稚貝１５を押圧する水平押圧部材１６，１７をバネ作動としたが、これに代えて水平押圧部材１６，１７は、図２２に示すようにモータやアクチュエータ等の電気または圧力式駆動源（図示せず）を駆動源として正逆両方向に回転揺動するものとしても良い。この場合、水平押圧部材１６，１７は、図２３に示す位置が初動位置となり、図２４および図２５に示すように正方向へ回転揺動して稚貝１５を位置決め部６に押し付ける。そして、穿孔および係止具刺し通し後、図２６に示すように逆方向へ回転揺動してロープ１４に結束した稚貝１５をロープ１４とともに耳吊り装置１の後方側へ送り出し可能とする。図２７に示すように送り出し時、稚貝１５は水平押圧部材１６，１７に接触しないので、上下の稚貝１５を平面上ほぼ重なるように方向転換されるには、水平押圧部材１６，１７の更に後方側に稚貝方向転換用の案内部材４２を設けておくと良い。
【００５９】
【発明の効果】
本発明は、以下の効果を奏する。
【００６０】
すなわち、上記構成を備えた本発明の請求項１による耳吊り装置においては、稚貝を位置決めする位置決め部がドリル部における穿孔ポイントよりも耳吊り装置の手前側に配置されているために、ロープに結束した稚貝をロープとともに耳吊り装置の後方側に送り出すときに位置決め部が送り出しの障害とならず、よって稚貝をほぼ結束したときの姿勢のまま円滑に送り出すことが可能となる。したがって、稚貝が障害物を乗り越えるときに発生するバウンド等の衝撃が稚貝に作用しないために、稚貝送り出し時に稚貝に与えるストレスを小さくすることができ、稚貝の生育を促進させることができる。また、ドリル部における穿孔ポイントよりも耳吊り装置の手前側に配置された位置決め部は、稚貝の送り出しの障害とならず移動させる必要がないために、固定式とすることが可能となる。したがって、可動式の位置決め部のように穿孔位置の微妙な調節が必要となることがなく、また異物の噛み込みによる作動のばらつきが発生するのを抑えることができる。
【００６１】
またこれに加えて、上記構成を備えた本発明の請求項２による耳吊り装置においては、穿孔ポイントへ向けて水平押圧動作して稚貝を位置決め部に押し付ける水平押圧部材が設けられているために、この水平押圧部材が穿孔ポイントへ向けて揺動動作して稚貝を位置決め部に押し付けることにより位置決め作業が行なわれる。したがって、位置決めが自動調整され、作業者がいちいち稚貝を位置決め部に直接押し当てる必要がなくなるために、これまで位置決め作業に必要とされてきた作業の熟練を不要とすることができる。また、ロープの下側で位置決めされる稚貝についても作業者は稚貝を概略の位置に置けば、水平押圧部材が穿孔ポイントへ向けて水平押圧動作して稚貝を位置決め部に押し付けることにより位置決め作業が行なわれる。したがって、作業者はロープによって視界を遮られても不安感を覚えることがなく、また作業者は穿孔具から離れた位置で作業を行なえば良いために、作業の安全性を向上させることができる。
【００６２】
また、上記構成を備えた本発明の請求項３による耳吊り装置においては、穿孔具とともに移動して稚貝の耳部または稚貝の耳部とその近傍を垂直方向に押さえ込む垂直押圧部材が設けられているために、その押さえ込み部位が稚貝の耳部または稚貝の耳部とその近傍に特定されている。したがって、稚貝を押さえ込むときに稚貝の膨らみのばらつきや付着物による影響を受けることがなく、稚貝を安定的に押さえ込むことができるために、穿孔時や結束具刺込み時における稚貝の姿勢を安定化させることができ、よってこれらの作業性を向上させることができる。またこの請求項３では加えて請求項２と同様に、穿孔ポイントへ向けて水平押圧動作して稚貝を位置決め部へ押し付ける水平押圧部材が設けられているために、この水平押圧部材がこれまでの手作業に代わって稚貝を押さえ込みの完了まで保持する。したがって、作業者は稚貝から早めに手を離すことが可能となり、よって稚貝の投入後速やかに次の作業動作に入ることができる。また、垂直押圧部材による押さえ込み後、稚貝はこの垂直押圧部材と水平押圧部材によって２方向から同時に保持される。したがって、稚貝を更に安定的に保持することができる。
【００６３】
また、上記構成を備えた本発明の請求項４による耳吊り装置においては、位置決め部が当該位置決め部に稚貝の耳部の側辺部とこれに連なる稚貝本体部の側辺部とを押し付けることにより稚貝を位置決めするよう構成されているために、稚貝が耳部よりも厚肉で接地した状態の稚貝本体部の近くで位置決めされることになる。したがって、稚貝のガタツキを有効に抑え、稚貝を正確に位置決めすることが可能となるために、その後の穿孔作業や係止具刺し通し作業を円滑化することができる。
【００６４】
また、上記構成を備えた本発明の請求項５による耳吊り装置においては、水平押圧部材の稚貝押圧面に稚貝の周縁部を係合する溝状凹部が形成されているために、この溝状凹部に稚貝の周縁部を係合させることにより、位置決め、穿孔および係止具刺し通しの各作業時に稚貝がガタつくのを有効に抑えることができる。
【００６５】
更にまた、上記構成を備えた本発明の請求項６による耳つり装置においては、ロープ送り部に回転ドラムとロープチャック部が設けられ、ロープチャック部にロープを両側から釈放自在に掴持する一対のチャック部材がドラムの円周上複数組設けられているために、稚貝結束後、ロープを送り出すたびにロープがチャック部材により掴持され、この状態で耳吊り装置の後方側へ引っ張られていく。したがって、ロープの送り出し作業を円滑化することができる。
【図面の簡単な説明】
【図１】本発明の実施例に係る耳吊り装置における貝座部、位置決め部、水平押圧部材およびドリル部の正面図
【図２】同貝座部、位置決め部および水平押圧部材の平面図
【図３】同貝座部、水平押圧部材、垂直押圧部材およびドリル部の正面図
【図４】垂直押圧部材による稚貝の押さえ込み部位を示す説明図
【図５】同ロープ送り出し部の側面図
【図６】図５におけるＡ方向矢視図
【図７】図５におけるＢ方向矢視図
【図８】図５におけるＣ方向矢視図
【図９】図５におけるＤ方向矢視図
【図１０】同ロープ送り出し部における間欠回転機構の説明図
【図１１】同ロープ送り出し部における間欠回転機構の説明図
【図１２】同ロープ送り出し部におけるギヤ保持機構の説明図
【図１３】同ロープテンション部の説明図
【図１４】同耳吊り装置における稚貝位置決め工程の説明図
【図１５】同耳吊り装置における稚貝位置決め工程の説明図
【図１６】同耳吊り装置における稚貝位置決め工程の説明図
【図１７】同耳吊り装置における稚貝押さえ込み、穿孔および係止具刺し通し工程の説明図
【図１８】同耳吊り装置における稚貝押さえ込み、穿孔および係止具刺し通し工程の説明図
【図１９】同耳吊り装置における稚貝押さえ込み、穿孔および係止具刺し通し工程の説明図
【図２０】同耳吊り装置におけるロープおよび稚貝送り出し工程の説明図
【図２１】同耳吊り装置におけるロープおよび稚貝送り出し工程の説明図
【図２２】本発明の他の実施例に係る耳吊り装置における貝座部、位置決め部および水平押圧部材の平面図
【図２３】同耳吊り装置における稚貝位置決め工程の説明図
【図２４】同耳吊り装置における稚貝位置決め工程の説明図
【図２５】同耳吊り装置における稚貝位置決め工程の説明図
【図２６】同耳吊り装置におけるロープおよび稚貝送り出し工程の説明図
【図２７】同耳吊り装置におけるロープおよび稚貝送り出し工程の説明図
【図２８】従来例に係る耳吊り装置における貝座部および位置決め部の平面図
【図２９】同耳吊り装置の全体構成説明図
【符号の説明】
１  耳吊り装置
２  台座部
３  貝座部
５  ロープテンション部
６  位置決め部
７  垂直押圧部
８  ドリル部
９  係止具供給部
１０  ロープ送り出し部
１４  ロープ
１５  稚貝
１５ａ  耳部
１５ｂ，１５ｄ  側辺部
１５ｃ  稚貝本体部
１５ｅ  周縁部
１５ｆ  貫通孔
１６，１７  水平押圧部材
１８，２７  バネ
１９  溝状凹部
２４  回転ドラム
２５  ロープチャック部
２６  チャック部材
３２  第一稚貝支持面部
３３  第二稚貝支持面部
６１  第一稚貝位置決め部
６２  第二稚貝位置決め部
４１  係止具
７１  垂直押圧部材
７２  孔部
８１  ドリル
ｐ  穿孔ポイント
【図１】
2004329007.tif 000003
【図２】
2004329007.tif 000004
【図３】
2004329007.tif 000005
【図４】
2004329007.tif 000006
【図５】
2004329007.tif 000007
【図６】
2004329007.tif 000008
【図７】
2004329007.tif 000009
【図８】
2004329007.tif 000010
【図９】
2004329007.tif 000011
【図１０】
2004329007.tif 000012
【図１１】
2004329007.tif 000013
【図１２】
2004329007.tif 000014
【図１３】
2004329007.tif 000015
【図１４】
2004329007.tif 000016
【図１５】
2004329007.tif 000017
【図１６】
2004329007.tif 000018
【図１７】
2004329007.tif 000019
【図１８】
2004329007.tif 000020
【図１９】
2004329007.tif 000021
【図２０】
2004329007.tif 000022
【図２１】
2004329007.tif 000023
【図２２】
2004329007.tif 000024
【図２３】
2004329007.tif 000025
【図２４】
2004329007.tif 000026
【図２５】
2004329007.tif 000027
【図２６】
2004329007.tif 000028
【図２７】
2004329007.tif 000029
【図２８】
2004329007.tif 000030
【図２９】
2004329007.tif 000031